(57)【特許請求の範囲】
【請求項１】
打撃軸線（Ａ）に沿って少なくとも部分的に打撃し、また回転する手工具装置であって、モータ制御のためのモータスイッチ（５）を備えた、振動を生じる打撃工具装置（２）から振動絶縁したガイドグリップ（４）を設け、前記モータスイッチ（５）を係止ロックするため、切替え領域（Ｘ）で移動可能とした係止スイッチ（７）を設け、また、前記打撃工具装置（２）に、切替えロッド（９）を移動させる作動モード切替えスイッチ（３）を取り付けた該回転打撃手工具装置において、
前記切替えロッド（９）に、回転作動モードでは前記切替え領域（Ｘ）に突出するストッパ（１０）を設けたことを特徴とする回転打撃手工具装置。
【請求項２】
請求項１に記載の回転打撃手工具装置において、係止するための前記係止スイッチ（７）は、一方の端部を固持し他方の遊端をフック（１３）状に形成した可撓性を有する板ばね（１２）を弾性的に変形させ、スイッチ投入操作するモータスイッチ（５）の切欠き（１５）に、前記フック（１３）が係合する構成とした回転打撃手工具装置。
【請求項３】
請求項１または２に記載の回転打撃手工具装置において、前記板ばね（１２）がグリップ鐙状部（６）上方に延在する構造とした回転打撃手工具装置。
【請求項４】
請求項１〜３のうちいずれか一項に記載の回転打撃手工具装置において、前記係止スイッチ（７）を、軸線方向に手動で変位可能なスライダとした回転打撃手工具装置。
【請求項５】
請求項４に記載の回転打撃手工具装置において、前記板ばね（１２）の軸線方向に延在する範囲において、前記スライダに指向する凸部（１１）を形成し、軸線方向に変位する前記スライダが、少なくとも部分的に前記凸部（１１）に係合するよう水平方向に滑動するようにした回転打撃手工具装置。
【発明の詳細な説明】
【技術分野】
【０００１】
本発明は、例えば組合せハンマなどの、少なくとも部分的に打撃し、また回転する手工具装置であって、ハツリ作業のためのモータスイッチの係止スイッチを備える回転打撃手工具装置に関するものである。
【０００２】
打撃軸線に沿って打撃し、また回転するこの種の回転打撃手工具装置において、ガイドグリップは打撃工具装置から振動絶縁する。ちなみに、単純な打撃ハツリ作業において、モータ制御のモータスイッチは、スイッチ投入状態に係止スイッチによって係止（ロック）するが、回転動作が加わる作業モードでは係止しない。
【背景技術】
【０００３】
特許文献１（独国特開１００３４７６８号）は、打撃工具装置から振動絶縁して構成されたガイドグリップを記載する。モータスイッチのための係止スイッチは、ガイドグリップの鐙状部の（取扱上都合がよい場合に）下方において複数部分構成で回動可能に取り付けた係止クランプ（スナップ式クリップ）として構成し、この係止クランプは、打撃工具装置の回転変位可能な作動モード切替えスイッチと連結する。この種の解決法は、技術的にコストがかかり、グリップの鐙状部下方に空間を設ける必要がある。
【０００４】
特許文献２（独国特開１９９３７７６７号）によれば、打撃軸線に沿って振動を生じる手工具装置に、ガイドグリップ内に配置したモータスイッチを設け、ガイドグリップの鐙状部の（取扱上都合がよい場合に）上部に係止スイッチを取り付ける。この係止スイッチは、モータスイッチをフルに投入した状態で係止する。係止スイッチの係止関係を制御する、移動可能に設けた堅い切替えロッドは、回転変位可能な打撃工具装置の作動モード切替えスイッチと偏心板によって連結し、この切替えロッドにより、必ずチゼルモードにおいてのみ係止し、回転が加わる作動モードにおいては係止しないようにできる。
【特許文献１】独国特開１００３４７６８号広報
【特許文献２】独国特開１９９３７７６７号広報
【発明の開示】
【発明が解決しようとする課題】
【０００５】
したがって、本発明の課題は、モータスイッチのための係止スイッチを、ガイドグリップにおいて技術的に簡単に制御することにある。
【課題を解決するための手段】
【０００６】
この課題は、請求項１に記載する特徴により解決される。好適な実施形態は、従属項に記載する特徴により達成される。
【０００７】
本発明によれば、打撃軸線に沿って少なくとも部分的に打撃し、また回転する手工具装置に、モータ制御のためのモータスイッチを備えた、振動を生じる打撃工具装置から振動絶縁したガイドグリップを設け、このモータスイッチを係止するため、切替え領域で移動可能とした係止スイッチを設け、さらに、打撃工具装置に、切替えロッドを移動させる作動モード切替えスイッチを取付け、このスイッチロッドには、回転作動モードでは切替え領域に突出するストッパを設ける。
【発明の効果】
【０００８】
係止スイッチから分離して連結しないストッパにより係止機能を制御することで、打撃工具装置から振動絶縁したガイドグリップにおいてであっても、疲労に強く技術的に簡単に係止が実現できる。
【発明を実施するための最良の形態】
【０００９】
好適には、係止するための係止スイッチは、一方の端部を固持し他方の遊端をフック状に構成した可撓性を有する板ばねを弾性的に変形させ、スイッチ投入状態で動作するモータスイッチに設けた切欠きに、このフックが係合する構成とする。この構成により、堅牢で技術的に簡単な係止（ロック）が実現される。
【００１０】
好適には、板ばねを、（取扱上都合がよい場合には）グリップ鐙状部上方に延在する構造とする。こうすることで、グリップ鐙状部の下方に余分な自由空間を設ける必要がなく、他の構成集合体をそのまま使用することができる。
【００１１】
好適な実施形態においては、係止スイッチに、より一層好適にはグリップ鐙状部の上方でハウジング表面に、軸線方向に手動で変位可能なスライダを設ける。こうすることで、係止スイッチは人間工学的に、ガイドグリップを握った状態から親指で作動可能となる。
【００１２】
好適には、板ばねの軸線方向の延在する範囲において、スライダに指向する凸部を形成し、軸線方向に変位する前記スライダが、少なくとも部分的にこの凸部に沿って滑動するようにする。こうすることで、スイッチ投入操作するモータスイッチの切欠きにフックを押し込んで、形状規制のロックを生ずる。
【実施例】
【００１３】
以下図面につき、本発明の好適な実施例を詳述する。
図１には、組合せハンマであり、打撃軸線Ａに沿って回転打撃する本発明手工具装置を示す。この手工具装置１には、回転および打撃運動する回転ドリルモード、および打撃運動のみのチゼルモードのいずれかに、廻すことで切り替え可能な作動モード切替えスイッチ３を有する打撃工具装置２から振動を絶縁するよう連結したガイドグリップ４を備える。ガイドグリップ４には、モータ制御のためのモータスイッチ５を取付け、このモータスイッチ５は、グリップ鐙状部６の上側面に取り付けた、軸線方向に摺動変位可能なスライダとした係止スイッチ７によって、スイッチ投入状態に係止可能とする。
【００１４】
図２および図３には、作動モード切替えスイッチ３により回転ドリルモードに切り替えた本発明手工具装置を示す。回転ドリルモードに切り替えたことで、切替えロッド９は偏心板８によってグリップ側に軸線方向に変位するので、ストッパ１０は係止スイッチ７の切替え領域Ｘに突出する。このため、係止スイッチ７はモータスイッチ５を係止するために打撃装置側に十分摺動することはできず、したがって係止スイッチ７が可撓性を有する板ばね１２の凸部１１に係合することはない。この板ばね１２は、軸線方向にグリップ鐙状部６の上方に延在し、その遊端においてフック１３を形成し、他方の端部はグリップ構体１４に連結する。
【００１５】
図４には、作動モード切替えスイッチ３によりチゼルモードに切り替えた本発明手工具装置を示す。作動モード切替えスイッチ３によりチゼルモードに切り替えたことで、切替えロッド９は打撃装置側に軸線方向に変位するので、回転ドリルモードとは違い、係止スイッチ７の切替え領域Ｘにストッパ１０は突出していない。このため、係止スイッチ７は、打撃装置側に摺動すれば、モータスイッチ５を係止するのに充分な距離を移動可能となるので、係止スイッチ７は、可撓性を有する板ばね１２に設けた凸部１１と係合する。
【００１６】
図５には、作動モード切替えスイッチ３によりチゼルモードに切り替えた本発明手工具装置を示す。チゼルモードに切り替えたことで、切替えロッド９が打撃装置側に変位したので、係止スイッチ７の切替え領域Ｘにストッパ１０は突出していない。モータスイッチ５を係止するために係止スイッチ７を打撃装置側に変位すると、可撓性を有する板ばね１２に設けた凸部１１と係合し、これを弾性的に変形する。このようにしてフック１３は、スイッチ投入状態のモータスイッチ５に設けた切欠き１５に形状ロックする。
【図面の簡単な説明】
【００１７】
【図１】本発明手工具装置の側面図である。
【図２】本発明手工具装置の縦断面図である。
【図３】本発明手工具装置の回転ドリルモードにおける内部詳細図である。
【図４】本発明手工具装置のチゼルモードにおける内部詳細図である。
【図５】本発明手工具装置の係止したチゼルモードにおける内部詳細図である。
【符号の説明】
【００１８】
１  手工具装置
２  打撃工具装置
３  作動モード切替えスイッチ
４  ガイドグリップ
５  モータスイッチ
６  グリップ鐙状部
７  係止スイッチ
８  偏心板
９  切替えロッド
１０  ストッパ
１１  凸部
１２  板ばね
１３  フック
１４  グリップ構体
１５  切欠き
X  切替え領域
【図１】
0005209388.tif 000002
【図２】
0005209388.tif 000003
【図３】
0005209388.tif 000004
【図４】
0005209388.tif 000005
【図５】
0005209388.tif 000006